(57)【要約】【課題】敷地を出入りする者だけを感知して、効果的に照明を点灯させることができるとともに、電力消費量を低減できる門柱および玄関アプローチ構造の提供。【解決手段】敷地１外部側の正面板材２０と、建物２側の背面板材３０と、これら正面板材２０および背面板材３０間に設けられる門柱用機器４０とを備えており、この門柱用機器４０は人感センサー４１と、この人感センサー４１が人体等の発熱を感知した際に点灯する本体照明４２とを備えており、この人感センサー４１の感知エリアは、人感センサー４１および正面板材２０の側端部どうしの延長線Ａと、人感センサー４１および背面板材３０の側端部どうしの延長線Ｂとの間の範囲内であることを特徴とする門柱１０。これにより、正面板材および背面板材に対して真正面から近づく者は感知せずに、正面板材および背面板材の側方から近づく者だけを感知できる。【選択図】図１
2009108488.tif 000002
【特許請求の範囲】
【請求項１】
敷地外部側に配置される正面板材と、この正面板材に対向し、かつ間隔をあけて建物側に配置される背面板材と、これら正面板材および背面板材間に設けられる門柱用機器とを備えており、
この門柱用機器は、人体等の発熱を感知する人感センサーと、この人感センサーに接続されて、この人感センサーが人体等の発熱を感知した際に点灯する本体照明とを備えており、
前記人感センサーによる感知エリアは、この人感センサーおよび正面板材の側端部どうしの延長線と、前記人感センサーおよび背面板材の側端部どうしの延長線との間の範囲内であることを特徴とする門柱。
【請求項２】
請求項１に記載の門柱において、
前記正面板材の一方の側端部は、前記背面板材の一方の側端部よりも外側に突出しており、前記背面板材の他方の側端部は、前記正面板材の他方の側端部よりも外側に突出していることを特徴とする門柱。
【請求項３】
請求項１または２に記載の門柱において、
前記門柱用機器は、正面部が側方に向くようにして設けられるインターフォンと、このインターフォンと同じ方向に投入口が向くようにして設けられるポストとを備えていることを特徴とする門柱。
【請求項４】
請求項１〜３のいずれか一項に記載の門柱が、敷地と、この敷地に面した道路との境界部分に起立設置されており、
前記人感センサーに接続されて、この人感センサーが人体等の発熱を感知した際に、前記本体照明と連動して点灯する子照明が、前記道路と玄関との間に配置された通路に沿って複数配置されていることを特徴とする玄関アプローチ構造。
【請求項５】
請求項４に記載の玄関アプローチ構造において、
前記複数の子照明のうち、少なくとも前記玄関の直近に配置された子照明は、人体等の発熱を感知する補助人感センサーを備えており、
前記本体照明は、この補助人感センサーに接続されて、この補助人感センサーが人体等の発熱を感知した際に点灯可能となっていることを特徴とする玄関アプローチ構造。
【発明の詳細な説明】
【技術分野】
【０００１】
本発明は、敷地外部との境界部分等に起立設置される門柱と、この門柱が配置された玄関アプローチ構造とに関する。
【背景技術】
【０００２】
住宅等の建物が建てられる敷地と、この敷地に面した道路との境界部分等に起立設置される門柱または門扉に、人の接近や人体の発熱等を感知する人感センサーを設け、この人感センサーと照明とを接続する技術が知られている（例えば、特許文献１参照）。
このような特許文献１の技術によれば、人が門柱または門扉に近づいた時にだけ、玄関から門扉までのアプローチの誘導灯システムを動作させることができるので、特に夜間において、アプローチを歩行する際の安全性や、防犯性を向上できるようになっている。
【特許文献１】特開平１１−２１３７１２号公報
【発明の開示】
【発明が解決しようとする課題】
【０００３】
ところが、上述のような門柱や門扉が、敷地と道路との境界部分に起立設置されていると、この門柱や門扉の前の道路を歩行者が往来するたびに、誘導灯システムが作動してしまうため、この門柱や門扉の前を往来する歩行者に対して不快感を与えてしまう場合がある。しかしながら、このように歩行者に不快感を与えないために、人感センサーの感度を下げてしまうと、居住者や来訪者の出入り時において効果的に誘導灯システムが作動しない場合がある。
また、このように、門柱や門扉の前の道路を歩行者が往来するたびに、誘導灯システムが作動してしまうと、道路の通行量が多い時は、電力消費量が増加してしまうという問題があった。
【０００４】
本発明の課題は、敷地を出入りする者だけを感知して、効果的に照明を点灯させることができるとともに、電力消費量を低減できる門柱および玄関アプローチ構造を提供することを目的とする。
【課題を解決するための手段】
【０００５】
請求項１に記載の発明は、門柱１０であり、例えば図１〜図５に示すように、敷地１外部側に配置される正面板材２０と、この正面板材２０に対向し、かつ間隔をあけて建物２側に配置される背面板材３０と、これら正面板材２０および背面板材３０間に設けられる門柱用機器４０とを備えており、
この門柱用機器４０は、人体等の発熱を感知する人感センサー４１と、この人感センサー４１に接続されて、この人感センサー４１が人体等の発熱を感知した際に点灯する本体照明４２とを備えており、
前記人感センサー４１による感知エリアは、この人感センサー４１および正面板材２０の側端部どうしの延長線Ａと、前記人感センサー４１および背面板材３０の側端部どうしの延長線Ｂとの間の範囲内であることを特徴とする。
【０００６】
請求項１に記載の発明によれば、前記正面板材２０および背面板材３０間に門柱用機器４０が設けられているので、前記人感センサー４１のセンシング動作は、前記正面板材２０および背面板材３０によって遮られることとなる。したがって、これら正面板材２０および背面板材３０に対して真正面から近づく者は感知せずに、前記正面板材２０および背面板材３０の側方から近づく者だけを感知することができるので、門柱１０前を歩行者が往来するたびに、前記本体照明４２が点灯してしまうことを防ぐことができる。これによって、敷地１に面する道路を通行する歩行者に不快感を与えることを確実に防ぐことができるとともに、前記人感センサー４１によって、居住者や来訪者等、敷地１を出入りする者だけを感知して、前記本体照明４２を効果的に点灯させることが可能となる。また、このように、門柱１０前を歩行者が往来するたびに、前記本体照明４２が点灯してしまうことを防ぐことができるので、無駄な電力消費量を低減することが可能となる。
さらに、前記人感センサー４１による感知エリアは、この人感センサー４１および正面板材２０の側端部どうしの延長線Ａと、前記人感センサー４１および背面板材３０の側端部どうしの延長線Ｂとの間の範囲内であることから、この人感センサー４１による感知エリアは、前記正面板材２０の側端部および背面板材３０の側端部によって規定されることとなる。
すなわち、前記正面板材２０および背面板材３０の側端部どうしの離間寸法や、これら正面板材２０および背面板材３０の側端部どうしと前記人感センサー４１との距離や、これら正面板材２０および背面板材３０のうち、一方の板材２０（３０）の側端部に対する他方の板材３０（２０）の側端部の側方への突出寸法等によって、前記人感センサー４１の感知エリアの大きさを異なるものとすることができる。したがって、例えば敷地１周囲の環境や建築条件等に合わせて、前記正面板材２０および背面板材３０を配置する位置を調節することによって、前記人感センサー４１の感知エリアが可変となるので、前記本体照明４２をより効果的に点灯させることが可能となる。
【０００７】
請求項２に記載の発明は、例えば図１〜図３に示すように、請求項１に記載の門柱１０において、
前記正面板材２０の一方の側端部は、前記背面板材３０の一方の側端部よりも外側に突出しており、前記背面板材３０の他方の側端部は、前記正面板材２０の他方の側端部よりも外側に突出していることを特徴とする。
【０００８】
請求項２に記載の発明によれば、前記正面板材２０の一方の側端部は、前記背面板材３０の一方の側端部よりも外側に突出しており、前記背面板材３０の他方の側端部は、前記正面板材２０の他方の側端部よりも外側に突出しているので、これら正面板材２０および背面板材３０は、これら正面板材２０の一部と背面板材３０の一部とが、正面視において重なり合うように左右にずれて配置されることとなる。これによって、前記人感センサー４１の感知エリアの大きさを、前記正面板材２０および背面板材３０の側端部どうしを揃えた場合とは異なるものとすることができるので、例えば敷地１周囲の環境や建築条件等に合わせて、前記本体照明４２をさらに効果的に点灯させることが可能となる。
【０００９】
請求項３に記載の発明は、例えば図１および図２に示すように、請求項１または２に記載の門柱１０において、
前記門柱用機器４０は、正面部が側方に向くようにして設けられるインターフォン４３と、このインターフォン４３と同じ方向に投入口４４ａが向くようにして設けられるポスト４４とを備えていることを特徴とする。
【００１０】
請求項３に記載の発明によれば、前記門柱用機器４０は、正面部が側方に向くようにして設けられるインターフォン４３と、このインターフォン４３と同じ方向に投入口４４ａが向くようにして設けられるポスト４４とを備えているので、例えば居住者や来訪者がインターフォン４３を使用する際や、郵便物や新聞等が前記ポスト４４に投入される際にも前記人感センサー４１が動作し、前記本体照明４２をより一層効果的に点灯させることができる。
【００１１】
請求項４に記載の発明は、玄関アプローチ構造であり、例えば図４および図５に示すように、請求項１〜３のいずれか一項に記載の門柱１０が、敷地１と、この敷地１に面した道路３との境界部分に起立設置されており、
前記人感センサー４１に接続されて、この人感センサー４１が人体等の発熱を感知した際に、前記本体照明４２と連動して点灯する子照明５０が、前記道路３と玄関４との間に配置された通路５に沿って複数配置されていることを特徴とする。
【００１２】
請求項４に記載の発明によれば、前記門柱１０の人感センサー４１に接続されて、この人感センサー４１が人体等の発熱を感知した際に、前記本体照明４２と連動して点灯する子照明５０が、前記道路３と玄関４との間に配置された通路５に沿って複数配置されていることから、前記門柱１０の側方を通り抜けて敷地１内に立ち入った際に、前記本体照明４２が点灯するとともに、前記複数の子照明５０が点灯し、前記通路５を照らすことができるので、前記通路５を歩行する際の安全性を向上させることができる。
【００１３】
請求項５に記載の発明は、例えば図１および図５に示すように、請求項４に記載の玄関アプローチ構造において、
前記複数の子照明５０のうち、少なくとも前記玄関４の直近に配置された子照明５０は、人体等の発熱を感知する補助人感センサー５０ａを備えており、
前記本体照明４２は、この補助人感センサー５０ａに接続されて、この補助人感センサー５０ａが人体等の発熱を感知した際に点灯可能となっていることを特徴とする。
【００１４】
請求項５に記載の発明によれば、前記複数の子照明５０のうち、少なくとも前記玄関４の直近に配置された子照明５０は、人体等の発熱を感知する補助人感センサー５０ａを備えており、前記本体照明４２は、この補助人感センサー５０ａに接続されて、この補助人感センサー５０ａが人体等の発熱を感知した際に点灯可能となっているので、人が前記建物２から玄関４に出てきた際に、前記子照明５０が点灯するとともに、前記本体照明４２が点灯し、前記通路５を照らすことができるので、前記通路５を歩行する際の安全性をより向上させることができる。
【発明の効果】
【００１５】
本発明によれば、正面板材および背面板材間に門柱用機器が設けられているので、この門柱用機器に備えられる人感センサーのセンシング動作は、正面板材および背面板材によって遮られることとなる。したがって、これら正面板材および背面板材に対して真正面から近づく者は感知せずに、正面板材および背面板材の側方から近づく者だけを感知することができるので、門柱前を歩行者が往来するたびに本体照明が点灯してしまうことを防ぐことができる。これによって、敷地に面する道路を通行する歩行者に不快感を与えることを確実に防ぐことができるとともに、人感センサーによって、居住者や来訪者等、敷地を出入りする者だけを感知して、本体照明を効果的に点灯させることが可能となる。また、このように、門柱前を歩行者が往来するたびに本体照明が点灯してしまうことを防ぐことができるので、無駄な電力消費量を低減することが可能となる。
さらに、人感センサーによる感知エリアは、この人感センサーおよび正面板材の側端部どうしの延長線と、人感センサーおよび背面板材の側端部どうしの延長線との間の範囲内であることから、この人感センサーによる感知エリアは正面板材の側端部および背面板材の側端部によって規定されることとなる。
すなわち、正面板材および背面板材の側端部どうしの離間寸法や、これら正面板材および背面板材の側端部どうしと人感センサーとの距離や、これら正面板材および背面板材のうち、一方の板材の側端部に対する他方の板材の側端部の側方への突出寸法等によって、人感センサーの感知エリアの大きさを異なるものとすることができる。したがって、例えば敷地周囲の環境や建築条件等に合わせて、正面板材および背面板材を配置する位置を調節することによって、人感センサーの感知エリアが可変となるので、本体照明をより効果的に点灯させることが可能となる。
【発明を実施するための最良の形態】
【００１６】
以下、図面を参照して本発明の実施の形態について説明する。
【００１７】
本実施の形態の門柱は、図１〜図５に示すように、敷地１外部側に配置される正面板材２０と、この正面板材２０に対向し、かつ間隔をあけて建物２側に配置される背面板材３０と、これら正面板材２０および背面板材３０間に設けられる門柱用機器４０とを備えており、
この門柱用機器４０は、人体等の発熱を感知する人感センサー４１と、この人感センサー４１に接続されて、この人感センサー４１が人体等の発熱を感知した際に点灯する本体照明４２とを備えており、
前記人感センサー４１による感知エリアは、この人感センサー４１および正面板材２０の側端部どうしの延長線Ａと、前記人感センサー４１および背面板材３０の側端部どうしの延長線Ｂとの間の範囲内である。
【００１８】
ここで、前記正面板材および背面板材は、図１および図２に示すように、矩形板状に形成されたものであり、略等しい幅寸法となるように設定されている。
また、この正面板材２０の一方の側端部は、前記背面板材３０の一方の側端部よりも外側に突出しており、前記背面板材３０の他方の側端部は、前記正面板材２０の他方の側端部よりも外側に突出している。
【００１９】
つまり、これら正面板材２０の側端部の突出寸法と、背面板材３０の側端部の突出寸法とは略等しい突出寸法となっており、これら正面板材２０および背面板材３０は、これら正面板材２０の一部と背面板材３０の一部とが、正面視において重なり合うように左右にずれて配置されることとなる。
【００２０】
また、前記背面板材３０は、前記正面板材２０の高さ寸法よりも高くなるように設定されており、この背面板材３０の正面側上端部に前記本体照明４２が設けられている。そして、この本体照明４２は、前記正面板材２０および背面板材３０の高さ寸法の寸法差によって正面側から視認可能となっている。
【００２１】
また、前記正面板材２０および背面板材３０は、下端部に、それぞれ脚部２０ａ，３０ａを備えており、これら脚部２０ａ，３０ａは、図１に示すように、基礎６とともに地中に埋設されており、安定的に立設されている。
【００２２】
さらに、これら正面板材２０および背面板材３０は、廃材から得られた木粉（セルロース系微粉粒）と樹脂との混合材料を押出成形することによって得られた中空状のものであり、表面は木質感を呈している。
【００２３】
一方、前記門柱用機器４０は、上述のように前記人感センサー４１と本体照明４２とを備えている。また、この他にも、インターフォン４３とポスト４４とを備えている。また、前記正面板材２０の正面側上端部に表札４５が設けられている。
【００２４】
この門柱用機器４０には、図１に示すように、電源線４０ａが設けられており、電源を得られるようになっている。これによって、前記人感センサー４１や本体照明４２、インターフォン４３を正常に作動させることができる。
そして、前記インターフォン４３には、このインターフォン４３と、建物２内に設けられる子機（図示せず）とを接続する子機配線４０ｂが設けられており、建物２内から前記インターフォン４３を通じて来訪者を確認することができる。
また、前記人感センサー４１には、前記本体照明４２と連動して点灯する子照明５０（後述する）が、接続線４０ｂを介して接続されており、複数設けられる子照明５０どうしも接続線４０ｂを介して接続されている。
【００２５】
ここで、前記人感センサー４１は、人体等の発熱を感知するものであり、図１に示すように、前記正面板材２０および背面板材３０間の上端部に設けられるセンサーボックス４１ａの下面に設けられている。
この人感センサー４１による感知エリアは、図３に示すように、この人感センサー４１および正面板材２０の側端部どうしの延長線Ａと、前記人感センサー４１および背面板材３０の側端部どうしの延長線Ｂとの間の範囲内である。つまり、この人感センサー４１による感知エリアは、前記正面板材２０の側端部および背面板材３０の側端部によって規定されることとなる。
【００２６】
例えば、前記正面板材２０の側端部の位置を、前記背面板材３０の側端部の位置とを揃えて配置したとすると、前記延長線Ａは、前記正面板材２０の側端部によって遮られることとなるので、この延長線Ａを、図３に示す延長線Ａ´の位置まで狭めることができるようになっている。
このように、前記正面板材２０および背面板材３０の側端部どうしの離間寸法や、前記正面板材２０および背面板材３０の側端部どうしと前記人感センサー４１との距離や、これら正面板材２０および背面板材３０のうち、一方の板材２０（３０）の側端部に対する他方の板材３０（２０）の側端部の側方への突出寸法等によって、前記人感センサー４１の感知エリアの大きさを異なるものとすることができるので、周囲の環境や居住者の生活環境に合わせて変更でき、好ましい。
【００２７】
また、本実施の形態の人感センサー４１の感知エリアは、居住者や来訪者が通過する側に向かって広がっているものとするが、反対方向にも感知エリアを設けるようにしてもよい。すなわち、後述するポスト４４の投入口４４ａが向いている方向だけでなく、取出口４４ｂが向いている方向にも感知エリアを設けるようにする。
【００２８】
さらに、前記センサーボックス４１ａは、前記本体照明４２よりも下方に設けられており、前記人感センサー４１は、上述のように前記センサーボックス４１ａの下面に設けられているので、この人感センサー４１よりも上方に設けられる本体照明４２の発熱を感知しないようになっている。
【００２９】
前記センサーボックス４１ａ内には、図示はしないが、前記人感センサー４１が人体等の発熱を感知した際の感知信号に基づいて前記本体照明４２の点灯信号を発生する制御装置と、この制御装置の点灯信号に基づいて前記本体証明４２を点灯させる安定器が設けられている。この安定器としては、例えばインバータ点灯回路が用いられるが、これに限定されるものではない。
【００３０】
なお、前記人感センサー４１は、感度調節可能に構成されている。すなわち、この人感センサー４１の感度をどれだけ高くしたとしても、前記正面板材２０および背面板材３０によって遮られて、正面側および背面側を通過する人を感知することがない。一方で、この人感センサー４１の感度を高くしたことによって、門柱１０の側方に向かって広範囲に感知することができるようになるので、門柱１０から離れた位置から敷地１内に侵入しようとする侵入者を感知でき、防犯性を向上させることが可能となる。
【００３１】
前記インターフォン４３は、正面部が側方に向くようにして設けられており、前記ポスト４４は、前記インターフォン４３と同じ方向に投入口４４ａが向くようにして設けられている。
これによって、例えば居住者や来訪者がインターフォン４３を使用する際や、郵便物や新聞等が前記ポスト４４に投入される際にも前記人感センサー４１が動作するので、前記本体照明４２を効果的に点灯させることができる。
【００３２】
また、前記ポスト４４には、前記投入口４４ａとは反対の方向に向くようにして取出口４４ｂが設けられている。すなわち、上述のように、前記正面板材２０の一方の側端部は、前記背面板材３０の一方の側端部よりも外側に突出しており、前記背面板材３０の他方の側端部は、前記正面板材２０の他方の側端部よりも外側に突出しているので、前記投入口４４ａは、敷地１外部側から使用しやすくなっており、前記取出口４４ｂは、敷地１内から使用しやすくなっている。
【００３３】
さらに、本実施の形態のポスト４４の下方は、図１および図２に示すように空隙となっているので、このポスト４４の下方に収納ボックスを設けて、掃除道具や庭道具を収納したり、前記電源線４０ａから電気を取るためのコンセントを設けたりしてもよい。
【００３４】
なお、前記人感センサー４１および本体照明４２は、例えばＯＮ・ＯＦＦモードや調光モード、タイマーモード等、互いに連動して作動する種々のモードを備えており、これら各種モードは、前記センサーボックス４１ａに取り付けられているモード切替スイッチ（図示せず）によって適宜切り替えが可能となっている。
また、このモード切替スイッチの近傍には、昼夜の判別をする昼夜判別センサー（図示せず）が設けられており、前記人感センサー４１および本体照明４２は、この昼夜判別センサーにも連動して動作するようになっている。
さらに、前記センサーボックス４１ａには、主電源スイッチ（図示せず）が設けられており、この主電源スイッチによって、前記人感センサー４１および本体照明４２、昼夜判別センサーへの電力供給の電源ＯＮ・電源ＯＦＦを切り替えることができるようになっている。
【００３５】
続いて、上述前記人感センサー４１および本体照明４２のＯＮ・ＯＦＦモード、調光モード、タイマーモードについて説明する。
【００３６】
［ＯＮ・ＯＦＦモード］
まず、夕方になり暗くなると昼夜判別センサーが作動して前記人感センサー４１がＯＮ状態になり、前記本体照明４２も消灯状態で待機する。
待機中、人が近づくと、前記人感センサー４１によって感知して前記本体照明４２がゆっくり点灯し、１００％点灯状態（高輝度状態）となり、人が離れるとゆっくり消灯し、再び消灯状態で待機する。
そして、朝になり明るくなると前記昼夜判別センサーが作動して前記人感センサー４１がＯＦＦ状態になる。この時、人が近づいても前記本体照明４２が点灯しないようになっている。
【００３７】
［調光モード］
まず、夕方になり暗くなると前記昼夜判別センサーが作動して、前記本体照明４２は、ほんのり点灯状態（低輝度状態）で待機する。
待機中、人が近づくと、前記人感センサー４１によって感知して前記本体照明４２がゆっくり点灯し、１００％点灯状態（高輝度状態）となり、人が離れると再びほんのり点灯状態で待機する。
そして、朝になり明るくなると前記昼夜判別センサーが作動して前記人感センサーがＯＦＦ状態になり、人が近づいても点灯しない。
なお、ほんのり点灯状態とは、高輝度である１００％点灯状態よりも低輝度で前記本体照明４２を点灯させた状態であり、無駄な電力消費量を低減できるようになっている。
【００３８】
［タイマーモード］
まず、夕方になり暗くなると前記昼夜判別センサーが作動して、前記調光モードとなり、前記人感センサー４１および本体照明４２は、前記調光モードと同様の動作を行うようになる。
そして、夕方、この調光モードになってから所定時間が経過すると、自動的に上記のＯＮ・ＯＦＦモードに切り替わる。そして、朝になり明るくなると昼夜判別センサーが作動して前記人感センサー４１がＯＦＦ状態になり、人が近づいても点灯しない。
すなわち、夕方になり暗くなると門柱１０付近を照らす照明が必要ではあるが、夕方であれば居住者が帰宅したり、来客があったりする可能性があるため、前記調光モードが好ましい。また、所定時間が経過すると、居住者は既に帰宅し、来客の可能性も格段に低くなるので、前記ＯＮ・ＯＦＦモードが好ましい。
なお、前記モード切替スイッチには、前記調光モードからＯＮ・ＯＦＦモードに切り替わる時間を、居住者の生活スタイル等に応じて変更できるように、タイマー選択スイッチを設けるようにしてもよい。
【００３９】
以上のような本実施の形態の門柱１０の他にも、図６に示すような門柱１０Ａを用いるようにしてもよい。
この門柱１０Ａは、敷地１外部側に配置される正面板材２０Ａと、この正面板材２０Ａに対向し、かつ間隔をあけて建物２側に配置される背面板材３０Ａと、これら正面板材２０Ａおよび背面板材３０Ａ間に設けられる門柱用機器４０Ａとを備えている。
この門柱用機器４０Ａは、人体等の発熱を感知する人感センサー（図示せず）と、この人感センサーに接続されて、この人感センサーが人体等の発熱を感知した際に点灯する本体照明４２Ａと、正面部が側方に向くようにして設けられるインターフォン４３Ａと、このインターフォン４３Ａと同じ方向に投入口４４Ａａが向くようにして設けられるポスト４４Ａと、前記背面板材３０Ａの正面側上端部に設けられる表札４５Ａとを備えている。
【００４０】
前記本体照明４２Ａは、前記正面板材２０Ａおよび背面板材３０Ａ間の上端部左側に配置されており、この本体照明４２Ａの直下に、前記インターフォン４３Ａが配置されている。
また、前記正面板材２０Ａおよび背面板材３０Ａ間の上端部右側には、前記本体照明４２Ａおよびインターフォン４３Ａに隣接するようにしてセンサーボックス４１Ａａが配置されている。
また、前記正面板材２０Ａおよび背面板材３０Ａ間の中央部付近には、前記ポスト４４Ａが配置されている。
【００４１】
なお、前記門柱１０，１０Ａは、図１、図２および図６に示すように、前記正面板材２０，２０Ａに対して、前記背面板材３０，３０Ａが左側にずれて配置されるとともに、前記インターフォン４３，４３Ａの正面部およびポスト４４，４４Ａの投入口４４ａ，４４Ａａが左側方に向いた状態となっているが、これに限られるものではない。
すなわち、前記正面板材２０，２０Ａに対して、前記背面板材３０，３０Ａを右側にずらして配置したり、これら正面板材２０，２０Ａおよび背面板材３０，３０Ａの側端部を揃えて配置したりしてもよい。また、前記インターフォン４３，４３Ａの正面部およびポスト４４，４４Ａの投入口４４ａ，４４Ａａを右側方に向けるようにしてもよい。
【００４２】
本実施の形態によれば、前記正面板材２０および背面板材３０間に門柱用機器４０が設けられているので、前記人感センサー４１のセンシング動作は、前記正面板材２０および背面板材３０によって遮られることとなる。したがって、これら正面板材２０および背面板材３０に対して真正面から近づく者は感知せずに、前記正面板材２０および背面板材３０の側方から近づく者だけを感知することができるので、門柱１０前を歩行者が往来するたびに、前記本体照明４２が点灯してしまうことを防ぐことができる。これによって、敷地１に面する道路を通行する歩行者に不快感を与えることを確実に防ぐことができるとともに、前記人感センサー４１によって、居住者や来訪者等、敷地１を出入りする者だけを感知して、前記本体照明４２を効果的に点灯させることが可能となる。
【００４３】
また、このように、門柱１０前を歩行者が往来するたびに、前記本体照明４２が点灯してしまうことを防ぐことができるので、無駄な電力消費量を低減することが可能となる。
【００４４】
さらに、前記人感センサー４１による感知エリアは、この人感センサー４１および正面板材２０の側端部どうしの延長線Ａと、前記人感センサー４１および背面板材３０の側端部どうしの延長線Ｂとの間の範囲内であることから、この人感センサー４１による感知エリアは、前記正面板材２０の側端部および背面板材３０の側端部によって規定されることとなる。
すなわち、前記正面板材２０および背面板材３０の側端部どうしの離間寸法や、これら正面板材２０および背面板材３０の側端部どうしと前記人感センサー４１との距離や、これら正面板材２０および背面板材３０のうち、一方の板材２０（３０）の側端部に対する他方の板材３０（２０）の側端部の側方への突出寸法等によって、前記人感センサー４１の感知エリアの大きさを異なるものとすることができる。したがって、例えば敷地１周囲の環境や建築条件等に合わせて、前記正面板材２０および背面板材３０を配置する位置を調節することによって、前記人感センサー４１の感知エリアが可変となるので、前記本体照明４２をより効果的に点灯させることが可能となる。
【００４５】
次に、本実施の形態の門柱１０が配置された玄関アプローチ構造について説明する。
すなわち、本実施の形態の玄関アプローチ構造は、図４および図５に示すように、前記門柱１０が、敷地１と、この敷地１に面した道路３との境界部分に起立設置されており、
前記人感センサー４１に接続されて、この人感センサー４１が人体等の発熱を感知した際に、前記本体照明４２と連動して点灯する前記子照明５０が、前記道路３と玄関４との間に配置された通路５に沿って複数配置されている。
【００４６】
前記玄関４は、いわゆる玄関ポーチであり、建物２内部と建物２外部とを連通する玄関ドア（図示せず）に面して設けられている。また、前記通路５は、前記道路３と玄関４との間に、複数の敷石を敷設してなる。そして、本実施の形態においては、前記建物２の外部であって、前記玄関４から、前記通路５を介して前記門柱１０が配置された箇所の付近（すなわち、敷地１外部との境界部分）までの場所を玄関アプローチと呼称する。
【００４７】
前記子照明５０は、図１に示すように、上部が本体となっており、下部が、この子照明５０を地面に差し込むことができるように差込部５０ｂが設けられている。
また、この子照明５０は、上述のように接続線４０ｂを介して、前記人感センサー４１と接続されており、前記本体照明４２と連動して点灯させることができるようになっている。
【００４８】
また、前記複数の子照明５０のうち、少なくとも前記玄関４の直近に配置された子照明５０は、図１および図６に示すように、人体等の発熱を感知する補助人感センサー５０ａを備えている。これによって、人が前記建物２から玄関４に出てきた際に、前記子照明５０が点灯するようになっている。
【００４９】
また、前記本体照明４２は、前記補助人感センサー５０ａに接続されて、この補助人感センサー５０ａが人体等の発熱を感知した際に点灯可能となっている。これによって、人が前記建物２から玄関４に出てきた際に、これら本体照明４２および子照明５０が点灯するようになっている。
【００５０】
なお、前記子照明５０は、前記通路５に沿って配置するだけでなく、前記敷地１内の様々な場所に配置するようにしてもよい。また、様々な場所に配置した子照明５０のうち、任意の子照明５０に対して、前記補助人感センサー５０ａを設けて、安全性および防犯性を向上させるようにしてもよい。
【００５１】
本実施の形態によれば、前記門柱１０の人感センサー４１に接続されて、この人感センサー４１が人体等の発熱を感知した際に、前記本体照明４２と連動して点灯する子照明５０が、前記道路３と玄関４との間に配置された通路５に沿って複数配置されていることから、前記門柱１０の側方を通り抜けて敷地１内に立ち入った際に、前記本体照明４２が点灯するとともに、前記複数の子照明５０が点灯し、前記通路５を照らすことができるので、前記通路５を歩行する際の安全性を向上させることができる。
また、人が前記建物２から玄関４に出てきた際に、前記子照明５０が点灯するとともに、前記本体照明４２が点灯し、前記通路５を照らすことができるので、前記通路５を歩行する際の安全性をより向上させることができる。
【図面の簡単な説明】
【００５２】
【図１】本発明に係る門柱の一例を示すもので、正面図、左側面図、右側面図、平面図である。
【図２】図１の門柱を示す斜視図である。
【図３】人感センサーの感知エリアを示す平面図である。
【図４】本発明に係る玄関アプローチの一例を示す平面図である
【図５】本発明に係る玄関アプローチの他の一例を示す平面図である。
【図６】本発明に係る門柱の他の一例を示す斜視図である。
【符号の説明】
【００５３】
１  敷地
２  建物
１０  門柱
２０  正面板材
３０  背面板材
４０  門柱用機器
４１  人感センサー
４２  本体照明
【図１】
2009108488.tif 000003
【図２】
2009108488.tif 000004
【図３】
2009108488.tif 000005
【図４】
2009108488.tif 000006
【図５】
2009108488.tif 000007
【図６】
2009108488.tif 000008